(57)【要約】【課題】パレット構造の磨耗等が生じにくく且つ常にパレットとスリーブの確実な固定が可能な組み立て式コンテナを提供することを目的とする。【解決手段】パレット１側面に対して片面に第一面ファスナ４１が取り付けられた第一固定片５を備え、スリーブに第一面ファスナ４１に対応する第二面ファスナ４２が取り付けられた第二固定片６を備えた組み立て式コンテナ。また、第一固定片５は側壁１２の一部として形成されヒンジ部を介して一体成形されている組み立て式コンテナ。また、第一固定片５はパレット１とは別体の独立片であり、パレット１に取り付けられている組み立て式コンテナ。【選択図】図１
2008174259.tif 000002
【特許請求の範囲】
【請求項１】
底を形成するパレットと、該パレットの周縁部に設けられた溝部に嵌合し側壁を形成するスリーブと、該スリーブ上に載置される蓋部とからなる組み立て式コンテナにおいて、前記パレットは第一面ファスナを有する第一固定片を側壁に備え、
前記スリーブは前記第一面ファスナに対応する第二面ファスナを有する第二固定片を側壁に備えたことを特徴とする組み立て式コンテナ。
【請求項２】
前記第一固定片がパレットの側壁の一部として薄肉のヒンジ部を介して一体成形されていることを特徴とする請求項１記載の組み立て式コンテナ。
【請求項３】
前記第一固定片はパレットとは別体に形成されたヒンジ部を有する板状体であって、パレットの側壁に沿ってヒンジ部が配置されるように取り付けられていることを特徴とする請求項１記載の組み立て式コンテナ。
【請求項４】
第二固定片はスリーブ表側に位置する第一部材とスリーブ裏側に位置する第二部材とよりなり、前記第一部材と第二部材とはスリーブの側壁に形成された貫通部を介してスリーブを挟み込むようにして取り付けられていることを特徴とする請求項１記載の組み立て式コンテナ。
【請求項５】
第一固定片及び第二固定片は、パレット及びスリーブにそれぞれ対となって二カ所以上に設けられていることを特徴とする請求項１記載の組み立て式コンテナ。
【発明の詳細な説明】
【技術分野】
【０００１】
本発明は組み立て式コンテナに関し、更に詳しくは、スリーブ表面にパレットとスリーブとを固定するための固定具が取り付けられた組み立て式コンテナに関する。
【背景技術】
【０００２】
従来、貨物の輸送に際して底を形成するパレットと、該パレットの周縁部に形成された溝に載置されて側壁をなすスリーブと、該スリーブの上に載置される蓋部とからなる組み立て式コンテナが用いられている。
【０００３】
このような従来の組み立て式コンテナには、輸送中に組み立て式コンテナに加わった衝撃等によってパレットとスリーブとが外れないよう固定するために、両者間に固定機構が備えられている。
【０００４】
例えば、特許文献１に記載されているように、パレット３００に形成された溝部の側壁から水平方向に棒爪１００を突出させ、該棒爪１００がスリーブ２００に形成された受け口２０１に差し込まれることで、スリーブ２００とパレット３００とが固定される機構である。
【０００５】
このスリーブ２００の固定機構では、一旦突出させた棒爪１００が安易に受け口２０１から抜脱しないように、棒爪１００の基部に図８に示すようなつまみ部１０１が突出形成されている。
すなわち、このつまみ部１０１が摺動する移動路３０１には一部が狭められた狭壁部が形成されており、そのため、つまみ部１０１を強く移動させて棒爪１００が受け口２０１に一旦差し込まれた後は、棒爪１００に一定以上の力が加わらない限り受け口２０１から容易に離脱するようなことがない。
【特許文献１】特表平０６−５０４７４９号公報
【発明の開示】
【発明が解決しようとする課題】
【０００６】
しかし、上記固定機構で固定する組み立て式コンテナを長期間に渡って繰り返し使用すると、移動路３０１の狭壁部は磨耗して徐々にその幅が拡大する。
その結果、僅かな衝撃により棒爪１００が移動して（すなわちパレット内に収納される方向に移動して）受け口２０１から抜脱し、不用意にもパレットとスリーブとの固定が外れることがある。
【０００７】
通常、移動路３０１はパレットと一体成形されているため、狭壁部は磨耗した場合移動路３０１のみの取替えは不可能であり、新しいパレットと交換しなければならず不経済である。
【０００８】
また、上記棒爪１００はパレット３００の移動路３０１に沿って摺動自在な状態で内部に配設される構造であるためパレット自体のこの部分の構造が複雑となる。
【０００９】
特にパレットを、金型を用いて成形しようとした場合は、アンダーカット等により金型形状が複雑となるため製造コスト的な負担も大きい。
更には、このような棒爪１００は水平方向に直線移動してスリーブ２００の受け口２０１に入るような構造であるために、パレット３００とスリーブ２００とが固定された状態では棒爪１００は常に曲げ力を受けていることとなる。
そのため、コンテナに衝撃等が加わってパレット３００とスリーブ２００とが離間する方向に力が加わると棒爪１００が曲がることがある。
【００１０】
このようになると棒爪１００と受け口２０１との位置決めが難しくなり、以後、受け口２０１への差し込みに支障が生じて、固定操作が困難となる。
また棒爪１００と受け口２０１との挿脱を繰り返しているうちに、受け口２０１が磨耗等により大きくなりパレット３００とスリーブ２００の間にガタが生じることがある。
一旦ガタが生じると、以後、固定力を増す修正ができなくなる。
以上のように、棒爪１００の爪部材を使った固定構造では、磨耗等が生じ易くパレット３００とスリーブ２００との間にガタが生じたり、爪部材が抜脱したりする欠点があり、また一旦このような欠点が生じると修正ができない。
【００１１】
本発明は以上の課題を解決すべく開発されたものである。
すなわち、パレット構造の磨耗等が生じにくく且つ常にパレットとスリーブの確実な固定が可能な組み立て式コンテナを提供することを目的とする。
【課題を解決するための手段】
【００１２】
本発明者は、以上のような課題背景をもとに鋭意研究を重ねた結果、片面に面ファスナが取り付けられた第一固定片を備えたパレットと、上記面ファスナに対応した面ファスナが取り付けられた第二固定片を備えたスリーブとで形成される組み立て式コンテナを用いることで、上記の課題を解決できることを見出し、その知見に基づいて本発明を完成させたものである。
【００１３】
すなわち本発明は、（１）底を形成するパレットと、該パレットの周縁部に設けられた溝部に嵌合し側壁を形成するスリーブと、該スリーブ上に載置される蓋部とからなる組み立て式コンテナにおいて、前記パレットは第一面ファスナを有する第一固定片を側壁に備え、前記スリーブは前記第一面ファスナに対応する第二面ファスナを有する第二固定片を側壁に備える組み立て式コンテナに存する。
【００１４】
また本発明は、（２）前記第一固定片がパレットの側壁の一部として薄肉のヒンジ部を介して一体成形されている上記（１）記載の組み立て式コンテナに存する。
【００１５】
また本発明は、（３）前記第一固定片はパレットとは別体に形成されたヒンジ部を有する板状体であって、パレットの側壁に沿ってヒンジ部が配置されるように取り付けられている上記（１）記載の組み立て式コンテナに存する。
【００１６】
また本発明は、（４）第二固定片はスリーブ表側に位置する第一部材とスリーブ裏側に位置する第二部材とよりなり、前記第一部材と第二部材とはスリーブの側壁に形成された貫通部を介してスリーブを挟み込むようにして取り付けられている上記（１）記載の組み立て式コンテナに存する。
【００１７】
また本発明は、（５）第一固定片及び第二固定片は、パレット及びスリーブにそれぞれ対となって二カ所以上に設けられている上記（１）記載の組み立て式コンテナに存する。
【００１８】
なお、本発明の目的に添ったものであれば上記（１）から（５）を適宜組み合わせた構成も採用可能である。
【発明の効果】
【００１９】
本発明の組み立て式コンテナは、パレットがその側壁の内方側の片面に第一面ファスナを有する第一固定片を備え、スリーブが前記第一面ファスナに対応する第二面ファスナを有する第二固定片を備えるので、第一面ファスナと第二面ファスナとを固着させた場合、スリーブとパレットとの外れ方向が面方向となるので簡単なファスナであっても強力な固定力が働く。その結果、スリーブがパレットから外れることが確実に防止される。
【００２０】
第一面ファスナに対して第二面ファスナを単に押し付ける、いわゆるワンタッチで固定でき、また、取り外しも同様にワンタッチで行える。
更に、第一面ファスナ及び第二面ファスナは交換が容易であるので、前記第一面ファスナ及び第二面ファスナが消耗や破損等した場合には、これらを交換するだけで対応できる。  
【００２１】
すなわち、本発明の組み立て式コンテナに用いられるパレットは、従来のパレットのように固定手段が使用不可能になったことで廃棄する必要は無く、その結果、面ファスナの交換を繰り返すことで従来よりも長期間に渡る使用が可能である。
【発明を実施するための最良の形態】
【００２２】
〔第一の実施形態〕
本発明の一実施形態について図面を用いて説明する。
図１は面ファスナが取り付けられた組み立て式コンテナを概略的に示した斜視図である。
図に示すように、本実施形態に係る組み立て式コンテナＡは、底を形成するパレット１と、該パレット１の周縁面に形成された図示しない溝部に載置され、上記組み立て式コンテナＡの側壁をなすスリーブ２と、スリーブ２上に載置される蓋部３とよりなる。
パレット１は第一面ファスナを有する第一固定片５を備え、スリーブ２は上記第一面ファスナに対応する第二面ファスナを有する第二固定片６を備える。
上記第一面ファスナと、上記第二面ファスナと、が接着されることで、スリーブ２はパレット１に固定される。
【００２３】
パレット１は、パレット１の底壁を地面から所定の高さまで持ち上げる脚部１１を有するので、パレット１の底壁と地面との間に空間Ｓが形成される。
この空間Ｓにフォークリフトのフォークを挿入することで、本実施形態に係る組み立て式コンテナＡは容易に運搬される。
【００２４】
スリーブ２は、パレット１の周縁部に形成された溝部に直立した状態で嵌合載置され、内部に貨物の収納空間を形成する。
スリーブ２は、その高さを大きくすることで組み立て式コンテナＡ自体の容量を増加させることができ、逆にその高さを小さくすることで組み立て式コンテナＡ自体の容量を小さくすることができる。
【００２５】
なお、スリーブ２の材質としては、組み立て式コンテナＡ自体の重量を軽くするためにダンボール紙や合成木材、プラスチック材等が用いられる。
【００２６】
ダンボール紙製のスリーブの場合、折り畳み自在であるために、保管に便利である。
蓋部３にはパレット１と同様に周縁部に溝部が形成されており、該溝部にスリーブ２が嵌合することで安定支持される。
【００２７】
図２は本実施形態に係る組み立て式コンテナの一部を断面で示した説明図である。
図に示すように、本実施形態に係る組み立て式コンテナに用いられるパレット１は、該パレット１の側壁１２に対して回動可能な第一固定片５を備える。
【００２８】
第一固定片５は薄肉のヒンジ部５１を介してパレット１と一体に形成されており、通常の状態において、第一固定片５はヒンジ部５１の弾性力により点線で示すような垂直に起立した状態を維持する。
【００２９】
第一固定片５のスリーブ２に対向する側の表面には、第一面ファスナ４１が着脱自在に取り付けられている。
スリーブ２の側壁２１は第二固定片６を備え、第二固定片６には第一面ファスナ４１に対応する第二面ファスナ４２が、着脱自在に取り付けられている。
【００３０】
パレット１とスリーブ２とを固定するときは、第一固定片５のつまみ部５２をつまんでヒンジ部５１を基点として回動させ第一面ファスナ４１と第二面ファスナ４２とを圧接させ固着する。
【００３１】
第一面ファスナ４１は、第一固定片５に対して着脱自在に取り付けられているため、第一面ファスナ４１が消耗、切断、破損等により使用不可能になったとしても、第一面ファスナ４１のみを新しいものに交換することができる。
【００３２】
同様に第二面ファスナ４２も、第二固定片６に着脱自在に取り付けられているため、消耗等して使用不可能になっても容易に新しいものに交換することができる。
【００３３】
従って、パレット１は第一面ファスナ４１及び第二面ファスナ４２の交換を繰り返すことで、長期間に渡って使用し続けることができる。
【００３４】
〔第二の実施形態〕  
図３は第一固定片を別体で備えた例を示す斜視図である。
図に示すように、パレット１はその一部が薄くなった側壁１２に別体で形成された第一固定片５を備える。
【００３５】
第一固定片５をパレット１と別体とすることで、第一固定片５を一体成形することが困難な材質（例えば、アルミニウム等）も、パレット１の材質として使用することができるようになる。
【００３６】
図４は第一固定片と第二固定片との固着状態を示す断面図である。
図４に示すように、第一固定片５は板状の平板である。
第一固定片５のパレット１に固定される部分は、他の部分と比べて薄くなっており、その部分がパレット１の側壁に沿って配置されるヒンジ部５１を構成する。
そのため、第一固定片５は回動し易くなり、第二面ファスナ４２に接触または離脱させる操作が容易になる。
第一固定片５はネジ、ボルト等の固定手段によって、パレット１の側壁に取り付けられる。
【００３７】
第二固定片６をスリーブ２に取り付ける手段は特に限定されるものではなく、例えば図４に示すように、第二固定片６を第一部材６１と第二部材６２とを用いて、スリーブの側壁２１に形成された貫通部Ｒを介してスリーブ２の表裏から挟み込むことで、スリーブ２に固定することもできる。
【００３８】
図５は一方の第一部材を拡大して示した斜視図である。
図５に示すように、第一部材６１は基板６１Ａと、該基板６１Ａに立設された側壁部６１Ｂとを備え、この側壁部６１Ｂは、後述する第二部材の側壁部６２Ｂと嵌合固定される。
また、側壁部６１Ｂには第二部材と係止されるための係止爪６１Ｂ１が形成されている。係止部６１Ｂ１を形成することで、第一部材６１と第二部材６２とを確実に固定できる。
【００３９】
図６は他方の第二部材を拡大して示した斜視図である。
図６に示すように、第二部材６２は基板６２Ａと、該基板６２Ａに立設された側壁部６２Ｂとを備え、この側壁部６２Ｂは第一部材６１の側壁部６１Ｂと嵌合固定される。
また側壁部６２Ｂには第一部材の係止爪６１Ｂ１が係止される係止口６２Ｂ１が形成されている。
【００４０】
ところで今まで述べてきた固定片は、パレット及びスリーブにそれぞれ対となって設けられているが、その設ける位置は、パレット及びスリーブにそれぞれ対となって二カ所以上であることが必要である。
図７は、固定片の設けられた位置を説明する模式図である。
（Ａ）はコンテナの対向する面に偏って設けた例（第二の実施形態の場合）、（Ｂ）は四つの面に設けた例、（Ｃ）は対向する面に二つずつを、設けた例である（第一の実施形態の場合）。また、（Ｄ）のようにより広い面積の面ファスナを有する固定片を対向する面に設けることも可能である。
【００４１】
以上、本発明を説明してきたが、本発明は実施の形態に限定されることなく種々の変形例が可能である。
【図面の簡単な説明】
【００４２】
【図１】図１は、面ファスナが取り付けられた組み立て式コンテナを概略的に示した斜視図である。
【図２】図２は、本実施形態に係る組み立て式コンテナの一部を断面で示した説明図である。
【図３】図３は、第一固定片を別体で備えた例を示す斜視図である。
【図４】図４は、第一固定片と第二固定片との固着状態を示す断面図である。
【図５】図５は、一方の第一部材を拡大して示した斜視図である。
【図６】図６は、他方の第二部材を拡大して示した斜視図である。
【図７】図７は、固定片の設けられた位置を説明する模式図である。
【図８】図８は、従来のパレットのつまみ部周辺を模式的に示した図である。
【符号の説明】
【００４３】
１…パレット
１１…脚部
１２…側壁
２…スリーブ
２１…スリーブの側壁
３…蓋部
４１…第一面ファスナ
４２…第二面ファスナ
５…第一固定片
５１…ヒンジ部
５２…つまみ部
６…第二固定片
６１…第一部材
６１Ａ…基板
６１Ｂ…側壁部
６１Ｂ１係止部
６２…第二部材
６２Ａ…基板
６２Ｂ…側壁部
６２Ｂ１…係止口
１００…棒爪
１０１…移動路
２００…スリーブ
２０１…受け口
３００…パレット
３０１…移動路
Ａ…組み立て式コンテナ
Ｒ…貫通部
Ｓ…空間
Ｔ…取手
【図１】
2008174259.tif 000003
【図２】
2008174259.tif 000004
【図３】
2008174259.tif 000005
【図４】
2008174259.tif 000006
【図５】
2008174259.tif 000007
【図６】
2008174259.tif 000008
【図７】
2008174259.tif 000009
【図８】
2008174259.tif 000010